(57)【要約】【課題】ユーザ指定される領域に記憶された画像情報を出力する場合に、選択する文書のカラー出力ページ数と白黒出力ページ数とからユーザに選択する文書の画像出力に要するコストや時間を相対的に認知させることである。【解決手段】ホストコンピュータ４０１，４０２等から受信するＰＤＬデータから制御装置１１０が展開する文書情報をユーザ指定されるＨＤドライブ１６０に確保されるユーザ領域に記憶し、該文書情報を出力する場合に、各ページの文書属性を制御装置１１０が生成して、該生成される文書属性に従い文書中のカラー出力ページ数と白黒出力ページ数とを含む文書選択画面を操作部１５０に表示する構成を特徴とする。【選択図】図１
2006116758.tif 000002
【特許請求の範囲】
【請求項１】
複数ページのＰＤＬデータからなる文書をホストコンピュータから受信して記憶する記憶手段を備える画像処理装置であって、
前記ＰＤＬデータから展開される各ページの色情報に従い前記文書の色別ページ数を含む文書属性を生成して前記記憶手段に記憶させる生成手段と、
前記記憶手段に記憶されている前記文書属性に基づいて、前記記憶手段に記憶された各文書の色別ページ数を伴う文書選択リストを表示部に表示する表示制御手段と、
を有することを特徴とする画像処理装置。
【請求項２】
前記記憶手段は、ユーザ指定される登録域に前記ＰＤＬデータから展開生成される画像情報を記憶可能とすることを特徴とする請求項１記載の画像処理装置。
【請求項３】
カラーページと白黒ページが混在する文書を読取り可能なスキャナ手段を有する画像処理装置であって、
前記スキャナ手段により読み取られる複数ページからなるの画像データを記憶する記憶手段と、
前記スキャナ手段により読み取られる複数ページの色情報を判別する判別手段と、
前記判別手段により判別される各ページの色情報に従い前記文書の色別ページ数を含む文書属性を生成して前記記憶手段に記憶させる生成手段と、
前記記憶手段に記憶されている前記文書属性に基づいて、前記記憶手段に記憶された各文書の色別ページ数を伴う文書選択リストを表示部に表示する表示制御手段と、
を有することを特徴とする画像処理装置。
【請求項４】
前記記憶手段は、ユーザ指定される登録域にスキャナ手段で読み取られる前記画像データを記憶可能とすることを特徴とする請求項２記載の画像処理装置。
【請求項５】
前記文書属性は、前記文書を識別する文書名、文書の総ページ数、文書中のカラーページ数、白黒ページ数を含むことを特徴とする請求項１または３記載の画像処理装置。
【請求項６】
前記表示制御手段は、前記文書属性の一部または、全部を前記表示部に表示することを特徴とする請求項１または３記載の画像処理装置。
【請求項７】
前記表示部に表示される文書選択リストから選択される文書を前記記憶手段から読み出して出力する画像出力手段を有することを特徴とする請求項１または３記載の画像処理装置。
【請求項８】
複数ページのＰＤＬデータからなる文書をホストコンピュータから受信して記憶する記憶手段を備える画像処理装置における画像処理方法であって、
前記ＰＤＬデータから展開される各ページの色情報に従い前記文書の色別ページ数を含む文書属性を生成して前記記憶手段に記憶させる生成ステップと、
前記記憶手段に記憶されている前記文書属性に基づいて、前記記憶手段に記憶された各文書の色別ページ数を伴う文書選択リストを表示部に表示する表示制御ステップと、
を有することを特徴とする画像処理方法。
【請求項９】
前記記憶手段は、ユーザ指定される登録域に前記ＰＤＬデータから展開生成される画像情報を記憶可能とすることを特徴とする請求項８記載の画像処理方法。
【請求項１０】
スキャナ手段により読み取られるカラーページと白黒ページが混在する文書の画像データを記憶する記憶手段を有する画像処理装置における画像処理方法であって、
前記スキャナ手段により読み取られる複数ページの色情報を判別する判別ステップと、
前記判別ステップにより判別される各ページの色情報に従い前記文書の色別ページ数を含む文書属性を生成して前記記憶手段に記憶させる生成ステップと、
前記記憶手段に記憶されている前記文書属性に基づいて、前記記憶手段に記憶された各文書の色別ページ数を伴う文書選択リストを表示部に表示する表示制御ステップと、
を有することを特徴とする画像処理方法。
【請求項１１】
前記記憶手段は、ユーザ指定される登録域にスキャナ手段で読み取られる前記画像データを記憶可能とすることを特徴とする請求項１０記載の画像処理方法。
【請求項１２】
前記文書属性は、前記文書を識別する文書名、文書の総ページ数、文書中のカラーページ数、白黒ページ数を含むことを特徴とする請求項８または１０記載の画像処理方法。
【請求項１３】
前記表示制御ステップは、前記文書属性の一部または、全部を前記表示部に表示することを特徴とする請求項８または１０記載の画像処理方法。
【請求項１４】
前記表示部に表示される文書選択リストから選択される文書を前記記憶手段から読み出して出力する画像出力ステップを有することを特徴とする請求項８または１０記載の画像処理方法。
【請求項１５】
請求項８〜１４のいずれかに記載の画像処理方法を実行させるためのプログラムを格納したことを特徴とするコンピュータが読み取り可能な記憶媒体。
【請求項１６】
請求項８〜１４のいずれかに記載の画像処理方法を実行させることを特徴とするプログラム。
【発明の詳細な説明】
【技術分野】
【０００１】
本発明は、画像情報を記憶する記憶手段を有する画像処理装置および画像処理方法およびコンピュータが読み取り可能なプログラムを格納した記憶媒体およびプログラムに関するものである。
【背景技術】
【０００２】
従来、スキャナから読み取った画像データや、ホストコンピュータからネットワークを介して送られたＰＤＬデータをビットマップに展開した画像データを圧縮または非圧縮データとしてハードディスクなどの記憶装置に一旦記憶し、そのメモリから任意の原稿の画像データを繰り返し読み出してプリントアウトする機能を備えたデジタル複写機が知られている。
【０００３】
また、画像処理装置に対してハードディスクなどの記憶装置を装備することにより、機密書類など他人に見られたくない書類のコピーやプリントアウトを行うために、画像データを一旦メモリ上のユーザ個人の領域に記憶させ、複写機の操作パネルからユーザパスワードを入力後、プリントアウトする文書を選択し、選択した画像を指定部数出力するパーソナルボックス機能が実現されている。
【特許文献１】特開平１０−１８７３７９号公報
【発明の開示】
【発明が解決しようとする課題】
【０００４】
しかしながら、従来のパーソナルボックス機能においては、出力する文書を選択する操作パネル上の選択画面には、文書中のカラーと白黒のページ数が表示されないいため、実際に出力してみるまで、出力に要する時間や、出力に要するコストなどを予め見積もることが困難であるという問題があった。
【０００５】
特に、カラープリンタにおいては、カラーページと白黒ページとで、プリントに要する時間やコストが異なることがあるため、文書出力に要する時間やコストを予め見積もることが望まれている。
【０００６】
本発明は、上記の課題を解決するためになされたもので、本発明の第１の目的は、ホストコンピュータから受信するＰＤＬデータから展開される文書情報をユーザ指定される記憶手段のユーザ領域に記憶し、該文書情報を出力する場合に、各ページの文書属性を生成して、該生成される文書属性に従い文書中のカラー出力ページ数と白黒出力ページ数とを含む文書選択画面を表示部に表示することにより、ユーザ指定される領域に記憶された画像情報を出力する場合に、選択する文書のカラー出力ページ数と白黒出力ページ数とからユーザに選択する文書の画像出力に要するコストや時間を相対的に認知させることができる利便性に優れた画像処理装置および画像処理方法およびコンピュータが読み取り可能なプログラムを格納した記憶媒体およびプログラムを提供することである。
【０００７】
第２の目的は、スキャナ手段から読み取られる文書情報をユーザ指定される記憶手段のユーザ領域に記憶し、該文書情報を出力する場合に、スキャナ手段から読み取る原稿画像の色情報を判別して、記憶手段に登録する文書の各ページの文書属性を生成して、該生成される文書属性に従い文書中のカラー出力ページ数と白黒出力ページ数とを含む文書選択画面を表示部に表示することにより、ユーザ指定される領域に記憶された画像情報を出力する場合に、選択する文書のカラー出力ページ数と白黒出力ページ数とからユーザに選択する文書の画像出力に要するコストや時間を相対的に認知させることができる利便性に優れた画像処理装置および画像処理方法およびコンピュータが読み取り可能なプログラムを格納した記憶媒体およびプログラムを提供することである。
【課題を解決するための手段】
【０００８】
上記目的を達成する本発明の画像処理装置は以下に示す構成を備える。
【０００９】
複数ページのＰＤＬデータからなる文書をホストコンピュータから受信して記憶する記憶手段を備える画像処理装置であって、前記ＰＤＬデータから展開される各ページの色情報に従い前記文書の色別ページ数を含む文書属性を生成して前記記憶手段に記憶させる生成手段と、前記記憶手段に記憶されている前記文書属性に基づいて、前記記憶手段に記憶された各文書の色別ページ数を伴う文書選択リストを表示部に表示する表示制御手段とを有することを特徴とする。
【００１０】
上記目的を達成する本発明の画像処理装置は以下に示す構成を備える。
【００１１】
カラーページと白黒ページが混在する文書を読取り可能なスキャナ手段を有する画像処理装置であって、前記スキャナ手段により読み取られる複数ページからなる画像データを記憶する記憶手段と、前記スキャナ手段により読み取られる複数ページの色情報を判別する判別手段と、前記判別手段により判別される各ページの色情報に従い前記文書の色別ページ数を含む文書属性を生成して前記記憶手段に記憶させる生成手段と、前記記憶手段に記憶されている前記文書属性に基づいて、前記記憶手段に記憶された各文書の色別ページ数を伴う文書選択リストを表示部に表示する表示制御手段とを有することを特徴とする。
【００１２】
上記目的を達成する本発明の画像処理方法は以下に示す構成を備える。
【００１３】
複数ページのＰＤＬデータからなる文書をホストコンピュータから受信して記憶する記憶手段を備える画像処理装置における画像処理方法であって、前記ＰＤＬデータから展開される各ページの色情報に従い前記文書の色別ページ数を含む文書属性を生成して前記記憶手段に記憶させる生成ステップと、前記記憶手段に記憶されている前記文書属性に基づいて、前記記憶手段に記憶された各文書の色別ページ数を伴う文書選択リストを表示部に表示する表示制御ステップとを有することを特徴とする。
【００１４】
上記目的を達成する本発明の画像処理方法は以下に示す構成を備える。
【００１５】
スキャナ手段により読み取られるカラーページと白黒ページが混在する文書の画像データを記憶する記憶手段を有する画像処理装置における画像処理方法であって、前記スキャナ手段により読み取られる複数ページの色情報を判別する判別ステップと、前記判別ステップにより判別される各ページの色情報に従い前記文書の色別ページ数を含む文書属性を生成して前記記憶手段に記憶させる生成ステップと、前記記憶手段に記憶されている前記文書属性に基づいて、前記記憶手段に記憶された各文書の色別ページ数を伴う文書選択リストを表示部に表示する表示制御ステップとを有することを特徴とする。
【発明の効果】
【００１６】
本発明によれば、ホストコンピュータから受信するＰＤＬデータから展開される文書情報をユーザ指定される記憶手段のユーザ領域に記憶し、該文書情報を出力する場合に、選択する文書のカラー出力ページ数と白黒出力ページ数とからユーザに選択する文書の画像出力に要するコストや時間を相対的に認知させることができる利便性に優れた画像処理環境を自在に構築できる。
【００１７】
また、スキャナ手段から読み取られる文書情報をユーザ指定される記憶手段のユーザ領域に記憶し、該文書情報を出力する場合に、選択する文書のカラー出力ページ数と白黒出力ページ数とからユーザに選択する文書の画像出力に要するコストや時間を相対的に認知させることができる利便性に優れた画像処理環境を自在に構築できる。
【発明を実施するための最良の形態】
【００１８】
次に本発明を実施するための最良の形態について図面を参照して説明する。
【００１９】
＜システム構成の説明＞
〔第１実施形態〕
図１は、本発明の第１実施形態を示す画像形成装置を適用可能な画像処理システムの構成を説明するブロック図である。
【００２０】
図１において、画像入出力システム１００は、特有の機能、ここでは、オリジナル電子文書を検索する機能を実現する画像入出力システムであり、画像入出力システム１０１は、その機能をもたない、通常の画像形成装置である。全体構成に関する部分については、どちらも相違がないため、説明は合わせて行う。
【００２１】
リーダ部２００は、原稿画像を光学的に読み取り、画像データに変換する。リーダ部２００は、原稿を読取るための機能を持つスキャナユニット２１０と、原稿用紙を搬送するための機能を持つ原稿給紙ユニット２５０とで構成される。
【００２２】
プリンタ部３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００２３】
制御装置１１０は、リーダ部２００、プリンタ部３００と電気的に接続され、さらにＬＡＮ４００に接続されている。制御装置１１０は、リーダ部２００を制御して、原稿の画像データを読込み、プリンタ部３００を制御して画像データを記録用紙に出力してコピー機能を提供する。また、リーダ部２００から読取った画像データを、コードデータに変換し、ＬＡＮ４００を介してホストコンピュータ４０１，４０２へ送信するスキャナ機能、ホストコンピュータからＬＡＮ４００を介して受信したコードデータを画像データに変換し、プリンタ部３００に出力するプリンタ機能を提供する。
【００２４】
操作部１５０は、制御装置１１０に接続され、液晶タッチパネルで構成され、画像入出力システム１００を操作するためのユーザＩ／Ｆを提供する。
【００２５】
図２は、図１に示したリーダ部２００及びプリンタ部３００の構成を説明する概略断面図である。
【００２６】
図２において、リーダ部の原稿給紙ユニット２５０は原稿２０２を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６及びレンズ２１７によってＣＣＤイメージセンサ（以下ＣＣＤという）２１８へ導かれる。このように、走査された原稿の画像はＣＣＤ２１８によって読み取られる。
【００２７】
２２２はリーダ画像処理部であり、ＣＣＤ２１８から出力される画像データに所定の処理を施し、図３に示すスキャナＩ／Ｆ１４０を介して制御装置１１０へと出力するところである。
【００２８】
３５２はプリンタ画像処理部であり、図３に示すプリンタＩ／Ｆ１４５を介して制御装置１１０から送られる画像信号をレーザドライバへと出力するところである。
【００２９】
プリンタ部３００のレーザドライバ３１７はレーザ発光部３１３，３１４，３１５，３１６を駆動するものであり、プリンタ画像処理部３５２から出力された画像データに応じたレーザ光をレーザ発光部３１３，３１４，３１５，３１６から発光させる。このレーザ光はミラー３４０，３４１，３４２，３４３，３４４，３４５，３４６，３４７，３４８，３４９，３５０，３５１によって感光ドラム３２５，３２６，３２７，３２８に照射され、感光ドラム３２５，３２６，３２７，３２８にはレーザ光に応じた潜像が形成される。３２１，３２２，３２３，３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００３０】
用紙カセット３６０，３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５，３２６，３２７，３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００３１】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００３２】
＜制御装置の説明＞
図３は、図１に示した制御装置１１０の機能構成を説明するブロック図である。
【００３３】
図２において、メインコントローラ１１１は、主にＣＰＵ１１２と、バスコントローラ１１３、各種Ｉ／Ｆコントローラ回路とから構成される。
【００３４】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基づいて動作する。
【００３５】
また、ホストコンピュータから受信したＰＤＬ（ページ記述言語）コードデータを解釈し、ラスタイメージデータに展開する動作も、このプログラムに記述されており、ソフトウエアによって処理される。バスコントローラ１１３は各Ｉ／Ｆから入出力されるデータ転送を制御するものであり、バス競合時の調停やＤＭＡデータ転送の制御を行う。
【００３６】
ＤＲＡＭ１１６は、ＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３７】
Ｃｏｄｅｃ１１８は、ＤＲＡＭ１１６に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３８】
Ｇｒａｐｈｉｃ  Ｐｒｏｃｅｓｓｏｒ（Ｇｒａｐｈｉｃ）１３５は、画像回転、変倍の処理を行うが、画像入出力システム１００においては、バーコード情報、透かし情報の抽出・解析や生成・埋め込み等の処理が行われる。このとき、各種の処理では、ＲＯＭ１１４に格納されたプログラムをメインコントローラ１１１を介して解釈し、画像入出力システム１０１で処理できるフォーマットに変換処理を行う。このとき、画像形成装置１０１においては、このバーコード情報、透かし情報の抽出・解析や生成・埋め込み、また、ファイル変換等の処理は持たない。
【００３９】
外部通信Ｉ／Ｆ  Ｃｏｎｔｒｏｌｌｅｒ１２１はＩ／Ｆ１２３によってメインコントローラ１１１と接続され、コネクタ１２２によって外部ネットワークと接続される。
【００４０】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００４１】
Ｉ／Ｏ制御部１２６には、リーダ部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００４２】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００４３】
操作部１５０は、液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００４４】
リアルタイムクロックモジュール１３３は、機器内で管理する日付と時刻を更新／保存するためのもので、バックアップ電池１３４によってバックアップされている。
【００４５】
Ｅ−ＩＤＥコネクタ１６１は、外部記憶装置を接続するためのものである。本実施形態においては、このＩ／Ｆを介してハードディスクドライブ１６０を接続し、ハードディスクドライブ１６０へ画像データを記憶させたり、ハードディスクドライブ１６０から画像データを読み込む動作を行う。
【００４６】
コネクタ１４２と１４７は、それぞれリーダ部２００とプリンタ部３００とに接続され、同調歩同期シリアルＩ／Ｆ（１４３，１４８）とビデオＩ／Ｆ（１４４，１４９）とから構成される。
【００４７】
スキャナＩ／Ｆ１４０は、コネクタ１４２を介してリーダ部２００と接続され、また、スキャナバス１４１によってメインコントローラ１１１と接続されており、リーダ部２００から受け取った画像に対して所定の処理を施す機能を有し、さらに、リーダ部２００から送られたビデオ制御信号をもとに生成した制御信号を、スキャナバス１４１に出力する機能も有する。
【００４８】
スキャナバス１４１からＤＲＡＭ１１６へのデータ転送は、バスコントローラ１１３によって制御される。
【００４９】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００５０】
ＤＲＡＭ１１６上に展開されたラスタイメージデータのプリンタ部への転送は、バスコントローラ１１３によって制御され、プリンタバス１４６、ビデオＩ／Ｆ１４９を経由して、プリンタ部３００へＤＭＡ転送される。
【００５１】
また、本発明に関わる、オリジナル電子文書の検索シーケンスは、ＲＯＭ１１４に記載されたプログラムに基づいて動作する。
【００５２】
画像入出力システム１０１より受け取った原稿のうち、バーコード、または電子透かしの部分を、後述するＧｒａｐｈｉｃ  Ｐｒｏｃｅｓｓｏｒ１３５にて解析し、アドレス情報を取得する。そして、そのアドレス情報に従って、後述するハードディスクドライブ１６０に保存されたオリジナル電子文書を取得、という形になる。
【００５３】
＜リーダ画像処理部の説明＞
図４は、図３に示したリーダ画像処理部２２２の詳細な構成を示すブロック図である。
【００５４】
図４において、リーダ画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）はリーダ画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、制御装置１１０へと出力される。
【００５５】
＜スキャナＩ／Ｆの画像処理部の説明＞
スキャナＩ／Ｆ１４０の画像処理を担う部分についての詳細な説明を行う。
【００５６】
図５は、図３に示したスキャナＩ／Ｆ１４０の画像処理を担う部分の詳細な構成を示すブロック図である。
【００５７】
図５において、リーダ部２００から、コネクタ１４２を介して送られる画像信号に対して、つなぎ＆ＭＴＦ補正部６０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部６０２によって、ＣＣＤ２１８の分光特性及びランプ２１２及びミラー２１４，２１５，２１６の分光特性を補正する。入力マスキング部６０２の出力はＡＣＳカウント部４０５及びメインコントローラ１１１へと送られる。
【００５８】
＜ＡＣＳカウント部の説明＞
図６は、図５に示したＡＣＳ（オートカラーセレクト）カウント部６０３の構成を説明するブロック図である。
【００５９】
なお、オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。
【００６０】
しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態では、ＡＣＳの方法にはこだわらない為、ごく一般的な手法で説明を行う。
【００６１】
上記のように、白黒画像でもミクロ的に見ると色画素が多数存在するわけであるから、その画素が本当に色画素であるかどうかは、注目画素に対して周辺の色画素の情報で判定する必要がある。
【００６２】
図６において、５０１はフィルタであり、注目画素に対して周辺画素を参照する為にＦＩＦＯの構造をとる。５０２はメインコントローラ１１１からセットされた５０７〜５１０のレジスタに設定された値と、リーダ部２００から送られたビデオ制御信号５１２を元に、ＡＣＳをかける領域信号５０５を作成する回路である。
【００６３】
５０３の色判定部は、ＡＣＳをかける領域信号５０５に基づき、注目画素に対してフィルタ５０１内のメモリ内の周辺画素を参照し、注目画素が色画素か白黒画素かを決定する。５０４はカウンタで、色判定部５０３が出力した色判定信号の個数を数える。
【００６４】
メインコントローラ１１１は、読み込み範囲に対してＡＣＳをかける領域を決定し、レジスタ５０７〜５１０に設定する（本実施形態では、原稿に対して独立で範囲を決める構成をとる）。
【００６５】
また、メインコントローラ１１１はＡＣＳをかける領域内での色判定信号の個数を計数するカウンタの値を、所定の閾値と比較し、当該原稿がカラーなのか白黒なのかを判断する。
【００６６】
レジスタ５０７〜５１０には、主走査方向、副走査方向それぞれについて、色判定部５０３が判定を開始する位置、判定を終了する位置を、リーダ部２００から送られたビデオ制御信号５１２に基づいて設定しておく。本実施形態では、実際の原稿の大きさよりもそれぞれ１０ｍｍ程度小さめに設定している。
【００６７】
なお、上記に示したＡＣＳ判定方式以外にも、様々なＡＣＳ判定方式が存在するが、本発明は、上記方式に限定されるものではない。
【００６８】
＜プリンタＩ／Ｆの画像処理部の説明＞
図７は、図３に示したプリンタＩ／Ｆ１４５の画像処理部の構成を説明するブロック図である。
【００６９】
図７において、メインコントローラ１１１から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００７０】
＜Ｇｒａｐｈｉｃ  Ｐｒｏｃｅｓｓｏｒの説明＞
図８は、図３に示したＧｒａｐｈｉｃ  Ｐｒｏｃｅｓｓｏｒ１３５の詳細な構成を示すブロック図である。
【００７１】
図８において、Ｇｒａｐｈｉｃ  Ｐｒｏｃｅｓｓｏｒ１３５は、画像回転部８０１、画像変倍部８０２、色空間変換部８０３、画像二値化部８０５の各部でそれぞれの処理を行うモジュールを有する。ＳＲＡＭ１３６はＧｒａｐｈｉｃ  Ｐｒｏｃｅｓｓｏｒ１３５の各々のモジュールの一時的なワーク領域として使用される。各々のモジュールが用いるＳＲＡＭ１３６のワーク領域が競合しないよう、あらかじめ各々のモジュールごとにワーク領域が静的に割り当てられているものとする。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００７２】
バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００７３】
＜画像回転部の説明＞
以下に画像回転部８０１における処理手順を示す。
【００７４】
図９，図１０は、図８に示した画像回転部８０１による画像処理例を説明する模式図である。
【００７５】
図９において、Ｉ／Ｆ１３７を介して、ＣＰＵ１１２からバスコントローラ１１３に画像回転制御のための設定を行う。この設定によりバスコントローラ１１３は画像回転部８０１に対して画像回転に必要な設定（たとえば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。尚、ここでは回転を行う画像サイズを３２画素×３２ラインとし、又、画像バス上に画像データを転送させる際に２４ｂｙｔｅ（ＲＧＢ各々８ｂｉｔで１画素分）を単位とする画像転送を行うものとする。
【００７６】
上述のように、３２画素×３２ラインの画像を得るためには、上述の単位データ転送を３２×３２回行う必要があり、且つ不連続なアドレスから画像データを転送する必要がある（図９参照）。
【００７７】
不連続アドレッシングにより転送された画像データは、読み出し時に所望の角度に回転されているように、ＳＲＡＭ１３６に書き込まれる。
【００７８】
例えば、９０度反時計方向回転であれば、転送される画像データを、図１０のようにＹ方向に書き込んでいく。読み出し時にＸ方向に読み出すことで、画像が回転される。
【００７９】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。
【００８０】
回転処理された画像データを受け取ったバスコントローラ１１３は、連続アドレッシングを以て、ＤＲＡＭ１１６もしくはＩ／Ｆ上の各デバイスにデータを転送する。
【００８１】
こうした一連の処理は、ＣＰＵ１１２からの処理要求が無くなるまで（必要なページ数の処理が終わったとき）繰り返される。
【００８２】
＜画像変倍部の説明＞
以下に画像変倍部８０２における処理手順を示す。
【００８３】
Ｉ／Ｆ１３７を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００８４】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。
【００８５】
変倍処理された画像データを受け取ったバスコントローラ１１３は、ＤＲＡＭ１１６もしくはＩ／Ｆ上の各デバイスにデータを転送する。
【００８６】
＜画像二値化部の説明＞
以下に画像二値化部８０５における処理手順を示す。
【００８７】
Ｉ／Ｆ１３７を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００８８】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によってもかまわない。
【００８９】
その後、画像二値化部８０５は二値化処理された画像データをバスコントローラ１１３に転送する。
【００９０】
二値化処理された画像データを受け取ったバスコントローラ１１３は、ＤＲＡＭ１１６もしくはＩ／Ｆ上の各デバイスにデータを転送する。
【００９１】
＜ＰＤＬ画像出力時のシーケンス＞
図１１は、本発明に係る画像処理装置における第１のデータ処理手順の一例を示すフローチャートであり、ＰＤＬ画像出力の手順に対応する。なお、Ｓ１００１〜Ｓ１００８は各ステップを示し、各ステップは、図３に示したＣＰＵ１１２がＲＯＭ１１４、ハードディスクドライブ１６０に記憶される制御プログラムをＤＲＡＭ１１６にロードして実行することでＰＤＬ画像出力処理が実現される。
【００９２】
図１に示したＰＣ４０１，４０２等より受信するＰＤＬ画像データを出力する場合、ステップＳ１００１では、ＰＣ４０１上でユーザが当該ＰＤＬ画像出力ジョブのプリント設定を図示しないプリンタドライバの設定画面を介して行う。例えばプリント設定内容は、部数、用紙サイズ、片面／両面、ページ出力順序、ソート出力、ステイプル止めの有無等である。
【００９３】
次に、ステップＳ１００２で、ＰＣ４０１上で印刷指示を与え、それと共にＰＣ４０１上にインストールされているドライバソフトウェアが、印刷対象となるＰＣ４０１上のコードデータ（例えばＯＳがＷｉｎｄｏｗｓ（登録商標）であれば、ＧＤＩコマンド）をいわゆるＰＤＬデータに変換して、ステップＳ１００１で設定したプリント設定パラメータとともに、本画像入出力システムの制御装置１１０に、ネットワーク４００を介してＰＤＬデータを転送する。
【００９４】
次に、ステップＳ１００３では、制御装置１１０のメインコントローラ１１１のＣＰＵ１１２が、図３に示したコネクタ１２２およびＮｅｔｗｏｒｋＣｏｎｔｒｏｌｌｅｒ１２１を介して転送されたＰＤＬデータを前記プリント設定パラメータに基づいて、画像データに展開（ラスタライズ）する。なお、画像データの展開は、ＤＲＡＭ１１６上に行われる。
【００９５】
そして、画像データの展開が完了するとステップＳ１００４へ進み、メインコントローラ１１１がＤＲＡＭ１１６上に展開された画像データを、Ｇｒａｐｈｉｃ  Ｐｒｏｃｅｓｓｏｒ１３５に転送する。
【００９６】
次に、ステップＳ１００５では、Ｇｒａｐｈｉｃ  Ｐｒｏｃｅｓｓｏｒ１３５が、ＰＤＬ画像データで設定されているプリント設定パラメータとは独立に、画像処理を行う。
【００９７】
例えば、前記プリント設定パラメータで指定された用紙サイズがＡ４であるにもかかわらず、プリンタ部３００の給紙ユニット３６０にはＡ４Ｒ用紙しかないような場合には、Ｇｒａｐｈｉｃ  Ｐｒｏｃｅｓｓｏｒ１３５で画像を、例えば９０度回転することによって、出力用紙に合わせた画像出力を行うことができる。このようにして、画像データの画像処理が完了すると、ステップＳ１００６へ進む。
【００９８】
そして、ステップＳ１００６では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００９９】
そして、ステップＳ１００７では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【０１００】
次に、ステップＳ１００８では、制御装置１１０が、プリンタ部３００を制御して画像データをプリント出力する。画像データの転送が完了すると、すなわち当該ＰＤＬジョブが終了すると、プリント出力を終了する。
【０１０１】
＜パーソナルボックス機能の説明＞
図１２は、図３に示したハードディスクドライブ１６０の論理的な記憶領域を説明する概念図である。なお、本実施形態においては使用用途に応じてハードディスクの記憶領域をテンポラリ領域２００１とボックス領域２００２に論理的に分ける。
【０１０２】
図１２において、テンポラリ領域２００１は、画像データの出力順序を変えたり、複数部出力においても一回のスキャンで出力ができるようにするために、ＰＤＬの展開データやスキャナからの画像データを一時的に記憶する記憶領域である。ボックス領域２００２はボックス機能を使用するための記憶領域であり登録された数の小さな記憶領域（ボックス領域）２００３〜２００７に分割されている。
【０１０３】
本実施形態において、ボックス操作は３つの機能に分かれている。ボックス登録は、パソコンなどのＰＣ４０１、４０２やスキャナユニット２１０からボックス領域を指定して画像を転送を行う。
【０１０４】
ボックスプリントは、ボックス内のデータを指定してプリント出力を行う。ボックス送信は、ボックス内のデータを指定してＦＡＸ送信、インターネットＦＡＸ送信、Ｅ−ｍａｉｌ添付送信、リモートコピーへの送信を行う。
【０１０５】
ボックス領域２００３〜２００７は、各ユーザや会社などの部署毎に割り当てられ、各ボックスにはボックス名とパスワードを付けることができる。ユーザはボックス名を指定することで各ボックスにアクセスすることができ、パスワードを入力しないと実際にボックスの中を見たり、出力や送信することはできない。
【０１０６】
＜パーソナルボックスへのＰＤＬ画像の登録処理フローの説明＞
図１３は、本発明に係る画像処理装置における第２のデータ処理手順の一例を示すフローチャートであり、ＰＤＬ画像の登録処理手順に対応する。なお、Ｓ２１０１〜Ｓ２１０５は各ステップを示し、各ステップは、図３に示したＣＰＵ１１２がＲＯＭ１１４、ハードディスクドライブ１６０に記憶される制御プログラムをＤＲＡＭ１１６にロードして実行することでＰＤＬ画像の登録処理が実現される。
【０１０７】
ＰＤＬ画像を登録する場合、ステップＳ２１０１では、ＰＣ４０１上でユーザがプリンタドライバの設定画面を介してプリント設定を行う。プリント設定内容は、例えば部数、用紙サイズ、拡大縮小率、片面／両面、ページ出力順序、ソート出力、ステイプル止めの有無等である。
【０１０８】
そして、ステップＳ２１０２では、ＰＣ４０１上でボックス番号を設定することで、ハードディスクドライブ１６０のボックス領域２００２内の領域が指定される。例えば、ボックス番号が「１」と指定されると、ボックス領域２００２内のパーソナルボックス領域（ボックス領域）２００３が指定されることなる。
【０１０９】
そして、ステップＳ２１０３では、ＰＣ４０１上のプリンタドライバを介して印刷指示を与え、それと共にＰＣ４０１上にインストールされているドライバソフトウェアが印刷対象となるコードデータをいわゆるＰＤＬデータに変換して、ステップＳ２１０１で設定したプリント設定パラメータとともに、本画像入出力装置の制御装置１１０にＰＤＬデータを転送する。
【０１１０】
次に、ステップＳ２１０４では、転送されたＰＤＬデータを画像データに展開（ラスタライズ）する。画像データの展開が完了すると、ステップＳ２１０５へ進む。
【０１１１】
そして、ステップＳ２１０５では、展開された画像データがハードディスクドライブ１６０のボックス領域２００２に順次記録され、例えばボックス番号が「１」のときは、ボックス領域２００３内に記憶される。また、ステップＳ２１０１で設定したプリント設定パラメータもボックス領域２００３に記録される。ボックス番号が「２」，「３」のときはそれぞれボックス領域２００４、ボックス領域２００５に記憶される。
【０１１２】
＜パーソナルボックスにおけるページ属性と文書属性の説明＞
パーソナルボックスにおけるページ属性と文書属性のデータ管理方式について説明する。
【０１１３】
図１４は、図１に示したＰＣ４０１，４０２等から受信するＰＤＬデータのデータ構造を説明する図である。本実施形態では、１ページ分のＰＤＬデータを展開して得られる画像をページと呼び、例えばワードプロセッサで作成される複数ページのファイルを印刷するような場合のＮページ分のＰＤＬデータを展開した結果得られるＮページ分の画像データの集まりを文書と呼ぶ。
【０１１４】
図１４において、本実施形態におけるＰＤＬデータは、複数（Ｎ）のページの画像データから構成される場合に、展開される各ページの画像データは、ページ属性を備え、かつ、文書属性を備える構成となる。
【０１１５】
なお、本実施形態では、各ページ属性は、ページが属する文書の識別子である文書番号と、その画像が文書中の何ページの画像であるかを示すページ番号、またカラー画像であるか白黒画像であるかを示す色属性、読み取った原稿のサイズを示すサイズ属性、さらにサムネイル画像のファイル名などが含まれる例である。
【０１１６】
また、画像データ及び文書属性、ページ属性はハードディスクドライブ１６０に保存される。
【０１１７】
文書属性には、文書の識別子となる文書番号、文書名、文書内のページの総数を表す総ページ数、文書中のカラーページの総数を表すカラーページ数、文書中の白黒ページ数を表す白黒ページ数が含まれる。
【０１１８】
＜パーソナルボックス内文書の選択画面の説明＞
次に、パーソナルボックス内文書を選択する操作画面について説明する。
【０１１９】
図１５は、図１に示した操作部１５０の表示部に表示されるパーソナルボックス文書選択画面の一例を示す図である。
【０１２０】
なお、本画面は、ＰＣ４０１等からネットワークを介して受信するＰＤＬデータから展開される文書情報をユーザ指定されるＨＤドライブ１６０のユーザ領域（ボックス領域（図１２参照）に記憶し、該文書情報をプリンタ部３００から出力する場合に、各ページの文書属性をＣＰＵ１１２が生成して、該生成される文書属性に従い文書中のカラー出力ページ数と白黒出力ページ数とを含む文書選択画面を操作部１５０に表示する画面に対応する。
【０１２１】
これにより、ユーザ指定される領域に記憶された画像情報を出力する場合に、選択する文書のカラー出力ページ数と白黒出力ページ数とからユーザに選択する文書の画像出力に要するコストや時間を相対的に認知させることができる。
【０１２２】
図１５において、パーソナルボックス文書選択画面２３０１では、パーソナルボックスに登録された文書の一覧を表示し、表示された一覧の中からユーザが文書を選択し、選択した文書のプリント指示や、選択した文書内の各ページのサムネイル画像表示を指示することができる。登録文書の一覧では、文書名、文書の総ページ数、文書中の白黒ページ数、カラーページ数が表示される。画面に一度に表示しきれない数の文書が保存されている場合にはスライドバー２３０３で一覧をスクロール表示することが出来る。
【０１２３】
ここで、文書中の総ページ数および、白黒、カラーの各ページ数をユーザが確認することができるため、文書をプリントする際の時間や、コストについて予め見積もることが可能となる。文書名「文書１」の文書２３０２は、総ページ数が「２０」ページ、その内訳は、白黒ページが「１１」ページ、カラーページが「９」ページであることを表している。ここでは、文書２３０２が選択されているため、反転表示されている。
【０１２４】
ここで、「プリントする」ボタン２３０５をユーザが操作部１５０上で押下指示すると、現在選択されている文書２３０２のプリント条件を設定する画面に遷移する。
【０１２５】
また、「サムネイル表示する」ボタン２３０４をユーザが操作部１５０上で押下指示すると、現在選択されている文書２３０２の各ページのサムネイル表示画面へと画面が遷移する。
【０１２６】
上記実施形態によれば、本出力文書選択時に、選択した文書中のカラーページと白黒ページの内訳をそれぞれ色別で当該ページ数を表示することができるため、画像入出力システム１００の利用者は、ボックスに登録された文書の出力を行う前に、出力に要する時間やコストを予め見積もることができる為、装置の使い勝手が向上する。なお、図示しないコストテーブルを記憶して、色別の単価と用紙単価と、色別の処理時間（標準的なページの処理時間から算定される）とから、実際のコスト金額および処理時間を操作部１５０の画面上に表示するように制御してもよい。
【０１２７】
また、上記実施形態では、各色別のコストと、処理時間とを表示する場合について説明したが、あらかじめユーザが操作部１５０より予算を数値入力して、その数値入力内で設定された条件で画像データを出力可能か否かをＣＰＵ１１２が判別して、可能である場合には、プリント処理をそのまま実行し、可能でないと判別した場合には、カラーページを白黒ページで出力したり、１ページの複数の画像を縮小して印刷する等のバリエーションを操作部１５０に表示して、ユーザ選択される予算等に合致する画像処理を実行できるように制御してもよい。
【０１２８】
また、プリンタエンジンの構成がインクジェット等のエンジンである場合に、表示される処理時間等に対して、ユーザから画像出力に対する処理速度に対する優先順位を設定して、処理速度を早く、すなわち、画像出力結果を得るまでに要する処理時間を短縮したい場合には、画像プロセスを変更して鮮明なカラー画像と簡便なカラー画像出力とを切り替えるように制御してもよい。
【０１２９】
〔第２実施形態〕
上記実施形態では、ホストコンピュータから受信するＰＤＬデータを展開する際に、パーソナルボックスへ展開されたイメージデータを登録する場合に、文書属性を生成してＨＤドライブ１６０に登録する処理を説明したが、図１に示したスキャナユニット２１０から読み取る白黒、カラー原稿が混在する複数ページの原稿をパーソナルボックスに登録する場合に、各ページの色情報を判別して同様の文書属性を生成し、該生成した文書属性から文書選択リストを表示して出力する文書を選択可能に構成してもよい。以下、その実施形態について説明する。
【０１３０】
なお、第１実施形態と同様に、操作部１５０に表示する選択画面は、スキャナユニット２１０で読み取られるイメージデータからなる文書情報をユーザ指定されるＨＤドライブ１６０のユーザ領域（ボックス領域（図１２参照）に記憶し、該文書情報をプリンタ部３００から出力する場合に、各ページの文書属性をＣＰＵ１１２が生成して、該生成される文書属性に従い文書中のカラー出力ページ数と白黒出力ページ数とを含む文書選択画面を操作部１５０に表示する。
【０１３１】
＜パーソナルボックスへのスキャン画像の登録処理フローの説明＞
図１６は、本発明に係る画像処理装置における第３のデータ処理手順の一例を示すフローチャートであり、スキャンされる原稿画像のボックス登録処理手順に対応する。なお、Ｓ２２０１〜Ｓ２２０４は各ステップを示し、各ステップは、図３に示したＣＰＵ１１２がＲＯＭ１１４、ハードディスクドライブ１６０に記憶される制御プログラムをＤＲＡＭ１１６にロードして実行することでスキャンされる原稿画像のボックス登録処理が実現される。
【０１３２】
図１に示したスキャナユニット２１０よりスキャンされるスキャン画像を登録する場合は、ステップＳ２２０１でユーザが操作部１５０を用いてスキャン設定を行う。
【０１３３】
本実施形態においては、スキャン設定内容は、原稿をカラーで読み取るのか、モノクロ画像として読み取る等を指定する色モード、解像度、レイアウト、格納データ形式などである。
【０１３４】
そして、ステップＳ２２０２では、操作部１５０上でボックス番号を指定することでハードディスクドライブ１６０のボックス領域２００２内の領域が指定される。
【０１３５】
例えばボックス番号として「１」が指定されると、ボックス領域２００２内のボックス領域２００３が指定されることになる。
【０１３６】
次に、ステップＳ２２０３では、操作部１５０でスキャン開始指示を与え、ステップＳ２１０１で設定したスキャン設定と共に、本画像処理装置の制御装置１１０にスキャン画像データを転送する。そして、転送が終了すると、ステップＳ２１０４へ進み、スキャン画像データがハードディスクドライブ１６０のボックス領域２００２に順次記録され、例えばボックス番号が「１」のときには、領域２００３内に記憶される。
【０１３７】
なお、ステップＳ２２０１で設定される登録先のボックス番号が、「２」，「３」のときには、図１２に示したボックス領域２００４，２００５にそれぞれ記憶される。
【０１３８】
〔第３実施形態〕
上記第２実施形態では、スキャン設定内容は、色モード、解像度、レイアウト、格納データ形式を指定する場合について説明したが、操作部１５０に表示する読取り設定画面において、読み取り色モード選択手段を設けて、色モードに「自動カラー選択」を選択可能に構成してもよい。
【０１３９】
そして、コントローラ部１１０のＣＰＵ１１２は、操作部１５０上でユーザにより「自動カラー選択」モードを選択されたことを検出した場合には、図６に示した色判定部５０３により読み取られる原稿画像が白黒（モノクロ）画像であるのか、それともカラー画像であるのかを自動判定し、その判定結果に基づき、ＣＰＵ１１２がページ属性中の色属性の値として、すなわち図１３に示したのと同様のデータ構造を備える読取り画像データのページ属性として、「カラー」または「白黒」が設定されることとなる。それ以外は、第１実施形態と同様である。
【０１４０】
〔第４実施形態〕
以下、図１７に示すメモリマップを参照して本発明に係る印刷装置で読み取り可能なデータ処理プログラムの構成について説明する。
【０１４１】
図１７は、本発明に係る印刷装置で読み取り可能な各種データ処理プログラムを格納する記憶媒体のメモリマップを説明する図である。
【０１４２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４４】
本実施形態における図１１，図１３，図１６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４６】
この場合、記憶媒体から読み出されたプログラムコード自体が本発明の新規な機能を実現することになり、そのプログラムコードを記憶した記憶媒体は本発明を構成することになる。
【０１４７】
従って、プログラムの機能を有していれば、オブジェクトコード、インタプリタにより実行されるプログラム、ＯＳに供給するスクリプトデータ等、プログラムの形態を問わない。
【０１４８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４９】
この場合、記憶媒体から読出されたプログラムコード自体が前述した実施形態の機能を実現することになり、そのプログラムコードを記憶した記憶媒体は本発明を構成することになる。
【０１５０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５４】
本発明は上記実施形態に限定されるものではなく、本発明の趣旨に基づき種々の変形（各実施形態の有機的な組合せを含む）が可能であり、それらを本発明の範囲から排除するものではない。
【０１５５】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１６について説明する。
【０１５６】
〔実施態様１〕
複数ページのＰＤＬデータからなる文書をホストコンピュータから受信して記憶する記憶手段を備える画像処理装置であって、前記ＰＤＬデータから展開される各ページの色情報に従い前記文書の色別ページ数を含む文書属性を生成して前記記憶手段に記憶させる生成手段（例えば図３に示すＣＰＵ１１２がＤＲＡＭ１１６上にイメージ展開処理する際に、ＣＰＵ１１２が各ページの色情報に従い文書属性を生成して、ＨＤドライブ１６０に記憶する）と、前記記憶手段に記憶されている前記文書属性に基づいて、前記記憶手段に記憶された各文書の色別ページ数を伴う文書選択リストを表示部に表示する表示制御手段（図３に示すＬＣＤコントローラ１３１は、ＣＰＵ１１２の制御により、ＨＤドライブ１６０に記憶された文書属性に従いＨＤドライブ１６０に記憶された文書の選択画面を例えば図１４に示す態様で操作部１５０上に表示する）とを有することを特徴とする画像処理装置。
【０１５７】
これにより、ユーザ指定される領域に記憶された画像情報を出力する場合に、選択する文書のカラー出力ページ数と白黒出力ページ数とからユーザに選択する文書の画像出力に要するコストや時間を相対的に認知させることができる。
【０１５８】
〔実施態様２〕
前記記憶手段は、ユーザ指定される登録域に前記ＰＤＬデータから展開生成される画像情報を記憶可能とすることを特徴とする実施態様１記載の画像処理装置。
【０１５９】
これにより、パーソナルボックスとして機能する各登録域に記憶させた文書を出力する際に、各ユーザに出力しようとしている文書のカラー出力ページと白黒出力ページとの割合を表示でき、ユーザが大凡の出力時間やコストを認知させることができる。
【０１６０】
〔実施態様３〕
カラーページと白黒ページが混在する文書を読取り可能なスキャナ手段（図１に示すスキャナユニット２１０）を有する画像処理装置であって、前記スキャナ手段により読み取られる複数ページからなるの画像データを記憶する記憶手段（図１に示すＨＤドライブ１６０）と、前記スキャナ手段により読み取られる複数ページの色情報を判別する判別手段（例えば図５に示すＡＣＳカウント部６０３の色判定部）と、前記判別手段により判別される各ページの色情報に従い前記文書の色別ページ数を含む文書属性を生成して前記記憶手段に記憶させる生成手段（図１に示す制御装置１１０）と、前記記憶手段に記憶されている前記文書属性に基づいて、前記記憶手段に記憶された各文書の色別ページ数を伴う文書選択リストを表示部に表示する表示制御手段（図３に示すＬＣＤコントローラ１３１は、ＣＰＵ１１２の制御により、ＨＤドライブ１６０に記憶された文書属性に従いＨＤドライブ１６０に記憶された文書の選択画面を例えば図１４に示す態様で操作部１５０上に表示する）とを有することを特徴とする画像処理装置。
【０１６１】
これにより、ユーザ指定される領域に記憶された画像情報を出力する場合に、選択する文書のカラー出力ページ数と白黒出力ページ数とからユーザに選択する文書の画像出力に要するコストや時間を相対的に認知させることができる。
【０１６２】
〔実施態様４〕
前記記憶手段は、ユーザ指定される登録域にスキャナ手段で読み取られる前記画像データを記憶可能とすることを特徴とする実施態様３記載の画像処理装置。
【０１６３】
これにより、パーソナルボックスとして機能する各登録域に記憶させた文書を出力する際に、各ユーザに出力しようとしている文書のカラー出力ページと白黒出力ページとの割合を表示でき、ユーザが大凡の出力時間やコストを認知させることができる。
【０１６４】
〔実施態様５〕
前記文書属性は、前記文書を識別する文書名、文書の総ページ数、文書中のカラーページ数、白黒ページ数を含むことを特徴とする実施態様１または３記載の画像処理装置。
【０１６５】
これにより、ユーザは出力する文書を選択する際に、文書名を確認しつつ、文書の総ページ数、文書中のカラーページ数、白黒ページ数を確実に認知できる。
【０１６６】
〔実施態様６〕
前記表示制御手段は、前記文書属性の一部または、全部を前記表示部に表示することを特徴とする実施態様１または３記載の画像処理装置。
【０１６７】
これにより、表示部の構成や、ユーザの確認した情報を自在にカスタマイズして表示できる。
【０１６８】
〔実施態様７〕
前記表示部に表示される文書選択リストから選択される文書を前記記憶手段から読み出して出力する画像出力手段を有することを特徴とする実施態様１または３記載の画像処理装置。
【０１６９】
これにより、文書属性を確認する画面上で、文書の出力指示を行うことができ利便性が向上する。
【０１７０】
〔実施態様８〕
複数ページのＰＤＬデータからなる文書をホストコンピュータから受信して記憶する記憶手段を備える画像処理装置における画像処理方法であって、前記ＰＤＬデータから展開される各ページの色情報に従い前記文書の色別ページ数を含む文書属性を生成して前記記憶手段に記憶させる生成ステップ（図１２に示すステップＳ２１０４）と、前記記憶手段に記憶されている前記文書属性に基づいて、前記記憶手段に記憶された各文書の色別ページ数を伴う文書選択リストを表示部に表示する表示制御ステップ（図示しない）とを有することを特徴とする画像処理方法。
【０１７１】
これにより、実施態様１と同等の効果が期待できる。
【０１７２】
〔実施態様９〕
前記記憶手段は、ユーザ指定される登録域に前記ＰＤＬデータから展開生成される画像情報を記憶可能とすることを特徴とする実施態様８記載の画像処理方法。
【０１７３】
これにより、実施態様２と同等の効果が期待できる。
【０１７４】
〔実施態様１０〕
スキャナ手段により読み取られるカラーページと白黒ページが混在する文書の画像データを記憶する記憶手段を有する画像処理装置における画像処理方法であって、前記スキャナ手段により読み取られる複数ページの色情報を判別する判別ステップ（図１５に示すステップＳ２２０３）と、前記判別ステップにより判別される各ページの色情報に従い前記文書の色別ページ数を含む文書属性を生成して前記記憶手段に記憶させる生成ステップ（図１５に示すステップＳ２２０３）と、前記記憶手段に記憶されている前記文書属性に基づいて、前記記憶手段に記憶された各文書の色別ページ数を伴う文書選択リストを表示部に表示する表示制御ステップ（図示しない）とを有することを特徴とする画像処理方法。
【０１７５】
これにより、実施態様３と同等の効果が期待できる。
【０１７６】
〔実施態様１１〕
前記記憶手段は、ユーザ指定される登録域にスキャナ手段から読み取られる前記画像データを記憶可能とすることを特徴とする実施態様１０記載の画像処理方法。
【０１７７】
これにより、実施態様４と同等の効果が期待できる。
【０１７８】
〔実施態様１２〕
前記文書属性は、前記文書を識別する文書名、文書の総ページ数、文書中のカラーページ数、白黒ページ数を含むことを特徴とする実施態様８または１０記載の画像処理方法。
【０１７９】
これにより、実施態様５と同等の効果が期待できる。
【０１８０】
〔実施態様１３〕
前記表示制御ステップは、前記文書属性の一部または、全部を前記表示部に表示することを特徴とする実施態様８または１０記載の画像処理方法。
【０１８１】
これにより、実施態様６と同等の効果が期待できる。
【０１８２】
〔実施態様１４〕
前記表示部に表示される文書選択リストから選択される文書を前記記憶手段から読み出して出力する画像出力ステップを有することを特徴とする実施態様８または１０記載の画像処理方法。
【０１８３】
これにより、実施態様７と同等の効果が期待できる。
【０１８４】
〔実施態様１５〕
実施態様８〜１４のいずれかに記載の画像処理方法を実行させるためのプログラムを格納したことを特徴とするコンピュータが読み取り可能な記憶媒体。
【０１８５】
これにより、実施態様８〜１４と同等の効果が期待できる。
【０１８６】
〔実施態様１６〕
実施態様８〜１４のいずれかに記載の画像処理方法を実行させることを特徴とするプログラム。
【０１８７】
これにより、実施態様８〜１４と同等の効果が期待できる。
【図面の簡単な説明】
【０１８８】
【図１】本発明の第１実施形態を示す画像形成装置を適用可能な画像処理システムの構成を説明するブロック図である。
【図２】図１に示したリーダ部及びプリンタ部の構成を説明する概略断面図である。
【図３】図１に示した制御装置の機能構成を説明するブロック図である。
【図４】図３に示したリーダ画像処理部の詳細な構成を示すブロック図である。
【図５】図３に示したスキャナＩ／Ｆの画像処理を担う部分の詳細な構成を示すブロック図である。
【図６】図５に示したＡＣＳ（オートカラーセレクト）カウント部の構成を説明するブロック図である。
【図７】図３に示したプリンタＩ／Ｆの画像処理部の構成を説明するブロック図である。
【図８】図３に示したＧｒａｐｈｉｃ  Ｐｒｏｃｅｓｓｏｒの詳細な構成を示すブロック図である。
【図９】図８に示した画像回転部による画像処理例を説明する模式図である。
【図１０】図８に示した画像回転部による画像処理例を説明する模式図である。
【図１１】本発明に係る画像処理装置における第１のデータ処理手順の一例を示すフローチャートである。
【図１２】図３に示したハードディスクの論理的な記憶領域を説明する概念図である。
【図１３】本発明に係る画像処理装置における第２のデータ処理手順の一例を示すフローチャートである。
【図１４】図１に示したＰＣ等から受信するＰＤＬデータのデータ構造を説明する図である。
【図１５】図１に示した操作部の表示部に表示されるパーソナルボックス文書選択画面の一例を示す図である。
【図１６】本発明に係る画像処理装置における第３のデータ処理手順の一例を示すフローチャートである。
【図１７】本発明に係る画像処理装置で読み取り可能な各種データ処理プログラムを格納する記憶媒体のメモリマップを説明する図である。
【符号の説明】
【０１８９】
１００，１０１  画像入出力システム
１１０  コントローラ部
１５０  操作部
２１０  スキャナユニット
３００  プリンタ装置
【図１】
2006116758.tif 000003
【図２】
2006116758.tif 000004
【図３】
2006116758.tif 000005
【図４】
2006116758.tif 000006
【図５】
2006116758.tif 000007
【図６】
2006116758.tif 000008
【図７】
2006116758.tif 000009
【図８】
2006116758.tif 000010
【図９】
2006116758.tif 000011
【図１０】
2006116758.tif 000012
【図１１】
2006116758.tif 000013
【図１２】
2006116758.tif 000014
【図１３】
2006116758.tif 000015
【図１４】
2006116758.tif 000016
【図１５】
2006116758.tif 000017
【図１６】
2006116758.tif 000018
【図１７】
2006116758.tif 000019